(57)【要約】【課題】  回動部材１２を自動的に動作させるドアストッパーを提供することである。【解決手段】  床６に固定した軸部材１１を中心に回動自在に支持された回動部材１２を備え、回動部材１２には軸部材１１を境にして、一方にはドア５に掛け止める掛け止め片１３を設け、他方にはドア５の回動軌跡内に臨ませる接触片１４を設け、回動部材１２には、ドア５の開け方向に対抗する方向の回動勢力を付与するバネ力を作用させてなり、掛け止め片１３には、軸部材１１に向かって移動可能で、かつ、軸部材１１方向に向かうバネ力を付与された停止部材１５を備えるとともに、軸部材１１とは反対側である停止部材１５の先端に止め部１８を設けてなり、ドア５が接触片１４に当たって回動部材１２をバネ力に抗して回動して、ドア５が掛け止め片１３上に達したとき、掛け止め片１３の先端が、軸部材１１に設けた凹部１７に嵌まる構成にした。【選択図】  図１
2005299140.tif 000002
【特許請求の範囲】
【請求項１】
床に固定した軸部材を中心に回動自在に支持された回動部材を備え、この回動部材には、上記軸部材を境にして、一方にはドアに掛け止める掛け止め片を設け、他方にはドアの回動軌跡内に臨ませる接触片を設け、さらに、上記回動部材には、ドアの開け方向に対抗する方向の回動勢力を付与するバネ力を作用させてなり、上記掛け止め片には、軸部材に向かって移動可能で、かつ、軸部材方向に向かうバネ力を付与された停止部材を備えるとともに、上記軸部材とは反対側である停止部材の先端に止め部を設けてなり、ドアが接触片に当たって回動部材をそのバネ力に抗して回動して、当該ドアが掛け止め片上に達したとき、掛け止め片の先端が、軸部材に設けた凹部に嵌まる構成にしたドアストッパー。
【発明の詳細な説明】
【技術分野】
【０００１】
この発明は、閉める方向に常に勢力を付与されたドアを、開けたままに保つドアストッパーに関する。
【背景技術】
【０００２】
この種のドアストッパーとして、図５〜図９に示すものが従来から知られている。この従来のドアストッパーは、軸部材１を中心に回動部材２を回動自在に設けているが、この回動部材２はドアを掛け止めるための掛け止め片３とドアに接触させるための接触片４とを備えている。そして、上記掛け止め片３と接触片４とは、軸部材１を中心にしてほぼ９０度の角度を保つようにしている。しかも、掛け止め片３の先端には止め部３ａを設けている。そして、図６に示すように、掛け止め片３の厚さｔ１は、ドア５の下端から床６までの高さｔ２よりも薄くしている。言い換えると、掛け止め片３を床６においたとき、その上をドア５が通過できるようにしている。
【０００３】
上記のようにしたドアストッパーは、その軸部材１を床６に固定するが、このときには接触片４の先端がドア５の回動軌跡内に位置するようにセットする。
上記のようにセットしておけば、ドア５を、その勢力方向とは反対方向である図７の矢印ｒ方向に開けると、ドア５は、その回動軌跡内にある接触片４に当たる。そして、なおもドア５が矢印ｒ方向に回動すると、回動部材２は軸部材１を中心に矢印ｒとは反対方向である矢印ｓ方向に回動する。そして、両者がさらに回動すると、ドア５の先端が掛け止め片３の止め部３ａよりも内側に入る（図８参照）。言い換えると、掛け止め片３の止め部３ａが、ドア５の回動軌跡内に位置する。
【０００４】
上記図８の状態になってからドア５を解放すると、ドア５は初期勢力の作用で閉まる方向に戻ろうとする。しかし、このときには、上記したように止め部３ａがドア５の回動軌跡内に位置するので、図９に示すように、ドア５はこの止め部３ａに引っ掛かってその位置で停止する。すなわち、ドア５は開いた状態を保つ。
上記のようにドア５を開いた状態に保ってから、そのドア５を閉めるときには、ドア５を止め部３ａから離す方向、すなわち初期勢力に抗する矢印ｒ方向に少し戻してから、回動部材２を矢印ｓ方向に回して止め部３ａをドア５から離す。止め部３ａからドア５を離したら、ドア５を手で押さえたまま、足などを使って回動部材２を回動して、止め部３ａをドア５の回動軌跡の外側に位置させる。
【０００５】
止め部３ａをドア５の回動軌跡の外に位置させてから、ドア５を解放すれば、ドア５は前記した初期勢力によって自動的に閉まる。
なお、ドアストッパーは、その回動部材２を人手で動かさない限り、回動しないので、それを元の位置に戻すためには、それを人が動かすことになる。そして、回動部材２が元の位置に戻っていない限り、次にドア５を開けたとき、止め部３ａをドア５の回動軌跡内に位置させることができない。そのために、ドア５を閉めた後、回動部材２を必ず人為的に元の位置に戻す作業が必要になる。
なお、上記従来のストッパーは、すでに販売されているものなので、特に、先行技術文献調査は行わなかった。
【発明の開示】
【発明が解決しようとする課題】
【０００６】
上記のようにした従来のドアストッパーでは、ドア５を開ける前には、止め部３ａを必ずドア５の回動軌跡の外に位置させておかなければならないが、それをすべて人為的にしなければならない。もし、その準備を怠ると、ドア５を開けるときに、止め部３ａを含めた掛け止め片３がドア５に当たってしまい、ドア５を開くための障害になってしまう。
【０００７】
また、ドア５を解除に保ってから、それを閉じるときには、やはり人が回動部材２を回動させなければならない。したがって、従来のドアストッパーでは、ドア５を開けるときにも、それを閉めるときにも、回動部材２を人為的に動かさなければならず、手間がかかるという問題があった。
この発明の目的は、すべて自動的に動作するドアストッパーを提供することである。
【課題を解決するための手段】
【０００８】
この発明は、床に固定した軸部材を中心に回動自在に支持された回動部材を備え、この回動部材には、上記軸部材を境にして、一方にはドアに掛け止める掛け止め片を設け、他方にはドアの回動軌跡内に臨ませる接触片を設け、さらに、上記回動部材には、ドアの開け方向に対抗する方向の回動勢力を付与するバネ力を作用させてなり、上記掛け止め片には、軸部材に向かって移動可能で、かつ、軸部材方向に向かうバネ力を付与された停止部材を備えるとともに、上記軸部材とは反対側である停止部材の先端に止め部を設けてなり、ドアが接触片に当たって回動部材をそのバネ力に抗して回動して、当該ドアが掛け止め片上に達したとき、掛け止め片の先端が、軸部材に設けた凹部に嵌まる構成にした点に特徴を有する。
【０００９】
この発明は、上記のように構成したので、ドアを開けると、そのドアは回動軌跡内に臨ませた接触片に当たる。この状態でドアをさらに開ければ、回動部材はそのバネ力に抗して軸部材を中心に回動するが、このとき回動部材に設けた停止部材は、バネ力によってその先端を軸部材に圧接した状態を保つ。そして、回動部材がドアとともに、さらに回動して、ドアが開位置に達したとき、停止部材の先端が軸部材に設けた凹部に嵌まり、回動部材の回動を停止させる。
上記状態でドアを解放すれば、ドアはその初期勢力によって元の位置すなわち閉位置に戻ろうとするが、このときにはドアが停止部材の止め部に当たってその回動を阻止される。
【００１０】
ただし、ドアの初期勢力によって停止部材はそのバネ力に抗して移動し、停止部材の先端が凹部から抜き取られる。この状態からドアを再び閉めるときには、止め部に接触しているドアを少し開け方向に回動させると、止め部とドアとが離れるので、回動部材はそのバネ力によって元に位置に自動的に戻る。そして、この元の位置は、接触片がドアの回動軌跡内に位置している状態である。
【発明の効果】
【００１１】
この発明のドアストッパーによれば、回動部材および停止部材のそれぞれは、それらが保持するバネ力と、ドアを開けるときの力あるいはその初期勢力とによって、自動的に移動したり、あるいは自動的に元の位置に復帰したりするので、それらを手で動かしたりする手間がすべて省ける。
【発明を実施するための最良の形態】
【００１２】
図１〜図４に示したこの発明の実施形態にかかわるドアストッパーは、床６に固定した軸部材１１に、ベルクランク状にした回動部材１２を回動自在に取り付けている。このベルクランク状の回動部材１２は、掛け止め片１３と接触片１４とからなる。
そして、上記掛け止め片１３には停止部材１５を軸部材１１方向に移動可能に設けるとともに、この停止部材１５には掛け止め片１３と停止部材１５との間にスプリング１６を設け、停止部材１５の先端が軸部材１１に圧接する構成にしている。このように軸部材１１に停止部材１５の先端を圧接させているが、軸部材１１の所定位置には凹部１７を形成し、回動部材１２が所定位置まで回動して、停止部材１５の先端と凹部１７とが対向すると、停止部材１５はそのスプリング１６のバネ力で移動し、その先端を凹部１７に内に突入させる。
【００１３】
また、上記のようにした停止部材１５には、その上記先端とは反対側に止め部１８を設けているが、この止め部１８は、ドア５を止める機能を発揮するものである。
一方、上記した接触片１４には、その先端に接触突起１９を設けている。この接触突起１９は、ドア５の回動軌跡内にあって、ドア５を開いたとき、ドア５が接触突起１９に当たる関係にしている。
【００１４】
上記のように回動部材１２を回動自在に支持する軸部材１１には、バネ受け片２０を固定している。そして、このバネ受け片２０と上記掛け止め片１３との間にバネ２１を引っ掛け、図１において、回動部材１２に時計方向の回動勢力を付与する構成にしている。なお、図１における時計方向の回動勢力とは、接触突起１９が開ける方向に回動させたドア５に接触している状態において、そのドア５の回動方向に逆らう方向の勢力である。
【００１５】
また、図２に示すように、床６から停止部材１５までの高さＴ１は、ドア５と床６との間に形成されるすき間Ｔ２よりも低くしている。言い換えると、ドア５が回動する際に停止部材１５がドア５に引っ掛からない関係を保っている。
なお、図中符号２２には掛け止め片１３に設けたストッパーピンで、回動部材１２が図１に示す原位置を保持するためのものである。
【００１６】
今、回動部材１２になにも力が作用していないときには、回動部材１２は図１に示す原位置にある。そして、ドア５を開けてそれが解放位置近くに達すると、ドア５が接触突起１９に当たるとともに、ドア５をさらに矢印Ｒ方向に回動すると、回動部材１２はバネ２１のバネ力に抗して矢印Ｓ方向に回動する。
【００１７】
上記のようにドア５と回動部材１２とがバネ２１のバネ力に抗して相対的に回動すると、その回動過程で、図３に示すように、ドア５が停止部材１５の止め部１８の内側に位置するとともに、ドア５を開ける力を解放しないかぎり、止め部１８はドア５に圧接した状態を保つ。そして、ドア５の回動にともなって回動部材１２が所定の位置まで回動すると、停止部材１５の先端が軸部材１１に形成した凹部１７に対向するので、停止部材１５の先端が凹部１７内に突入して、回動部材１２の回動を阻止する。
【００１８】
この状態でドア５を開ける力を解放すれば、ドア５はその初期勢力によって閉まる方向に戻ろうとして、瞬間的に接触突部１９から離れる。しかし、上記したように停止部材１５の先端が凹部１７に入っているので、ドア５が接触突部１９から離れたとしても、回動部材１２は、当該位置を保ったままになる。ただし、閉める力が作用しているドア５はその初期勢力によってさらに閉まる方向に回動しようとする。しかし、このときには、止め部１８がドア５の回動軌跡内に位置している。したがって、ドア５は止め部１８に当たってその回動を阻止されるが、そのときのドア５の初期勢力が、停止部材１５のスプリング１６のバネ力に打ち勝って、停止部材１５を凹部１７から離れる方向に移動させる。
【００１９】
上記のように停止部材１５が凹部１７から離れる方向に移動すれば、停止部材１５の先端が凹部１７からはずれる。ただし、このときには、ドア５が止め部１８に圧接しているので、回動部材１２は、ドア５の初期勢力の作用で、図４に示す位置すなわちドア５を開いた状態に保つ位置を保持する。
【００２０】
一方、ドア５を閉めるときには、図４の状態からドア５を少し開く方向に回動させ、ドア５を止め部１８から少し離す。このようにドア５が止め部１８から離れれば、回動部材１２がバネ２１のバネ力で原位置に復帰する方向に回動し、停止部材１５の先端を凹部１７と食い違わせる。その後は、回動部材１２がバネ２１のバネ力でさらに回動して、原位置に復帰するとともに、ドア５を解放する。このようにして解放されたドア５は、自らの初期勢力で自動的に閉じることになる。
上記のような動作を繰り返せば、回動部材１２を手や足で動かす必要がなく、常に、自動的に動作することになる。
【図面の簡単な説明】
【００２１】
【図１】この実施形態のドアストッパーの原位置とドアとの関係を示した作動説明図である。
【図２】ドアストッパーの側面図である。
【図３】回動部材がドアによって回動させられた状態を示す作動説明図である。
【図４】ドアが止め部に接触して開状態に保持された状態を示す作動説明図である。
【図５】従来のドアストッパーの斜視図である。
【図６】従来のドアストッパーの側面図である。
【図７】従来のドアストッパーの原位置とドアとの関係を示した作動説明図である。
【図８】回動部材がドアによって回動させられた状態を示す作動説明図である。
【図９】ドアが止め部に接触して開状態に保持された状態を示す作動説明図である。
【符号の説明】
【００２２】
１１    軸部材
１２    回動部材
１３    掛け止め片
１４    接触片
１５    停止部材
１７    凹部
１８    止め部
【図１】
2005299140.tif 000003
【図２】
2005299140.tif 000004
【図３】
2005299140.tif 000005
【図４】
2005299140.tif 000006
【図５】
2005299140.tif 000007
【図６】
2005299140.tif 000008
【図７】
2005299140.tif 000009
【図８】
2005299140.tif 000010
【図９】
2005299140.tif 000011